【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
光分配網を介して信号伝送速度の異なる複数種類の加入者接続装置（ＯＮＵ）と接続される受動光網（ＰＯＮ）の局側光伝送路終端装置（ＯＬＴ）であって、
上記光分配網に結合される光送受信部と、
上記光送受信部に接続された電気／光変換部と、
広域網と接続される送受信回線インタフェースと、
下り制御フレームを生成するＯＬＴ制御部と、
上記ＯＬＴ制御部で生成された下り制御フレームおよび上記送受信回線インタフェースで上記広域網から受信したフレームをヘッダ部に宛先ＯＮＵの識別情報を含む下りフレームに変換する下りフレーム処理部と、
変調速度を切り換えて新たな下りフレームを送信するとき、上記電気／光変換部に対して、現在の変調速度で変調された通信終了通知を出力し、変調速度を切り換えて、新たな信号伝送速度のクロック同期ビットを含む通信開始通知を出力した後、上記新たな下りフレームを出力する下り送信制御部とを備え、
上記電気／光変換部が、上記下り送信制御部から出力された通信終了通知、通信開始通知および下りフレームを光信号に変換して、上記光送受信部に出力することを特徴とする局側光伝送路終端装置。
【請求項２】
前記下り送信制御部が、前記電気／光変換部に対して、前記通信開始通知を出力した後、同一の信号伝送速度をもつ複数の下りフレームを出力することを特徴とする請求項１に記載の局側光伝送路終端装置。
【請求項３】
前記ＯＮＵが、第１または第２の信号伝送速度を有し、
前記下り送信制御部が、前記変調速度の切り換えによって、それぞれ前記通信開始通知で開始し、前記通信終了通知で終了する第１、第２の下り通信スロットを交互に形成し、上記第１の下り通信スロットで上記第１の信号伝送速度を有するＯＮＵ宛の下りフレーム群を送信し、上記第２の下り通信スロットで上記第２の信号伝送速度を有するＯＮＵ宛の下りフレーム群を送信することを特徴とする請求項１または２に記載の局側光伝送路終端装置。
【請求項４】
前記通信開始通知が、該当するタイムスロットで送信される下りフレームの帯域を示す制御情報を含み、前記通信終了通知が、次のタイムスロットの長さを示す制御情報を含むことを特徴とする請求項３に記載の局側光伝送路終端装置。
【請求項５】
前記光送受信部に接続された光／電気変換部と、
上記光／電気変換部から出力された受信信号を信号伝送速度に応じた速度で復調する復調部と、
上記復調部から出力された上りフレームを終端し、ＰＯＮ制御フレームは前記ＯＬＴ制御部に出力し、その他のフレームは前記送受信回線インタフェースに出力する上りフレーム処理部とを備え、
上記ＯＬＴ制御部が、信号伝送速度別の複数のディスカバリフレームを生成し、
上記ディスカバリフレームが、前記下りフレーム処理部で前記下りフレームに変換した後、前記下り送信制御部に供給され、ディスカバリ対象となるＯＮＵの信号伝送速度に応じた速度で変調して、前記電気／光変換部に出力されることを特徴とする請求項１〜請求項４の何れかに記載の局側光伝送路終端装置。
【請求項６】
前記ＯＬＴ制御部が、信号伝送速度別の複数のレンジングフレームを生成し、
上記ＯＬＴ制御部で生成されたレンジングフレームが、前記下り送信制御部により、レンジング対象となるＯＮＵの信号伝送速度に応じた速度で変調して、前記電気／光変換部に出力されることを特徴とする請求項５に記載の局側光伝送路終端装置。
【請求項７】
光分配網を介して信号伝送速度の異なる複数種類の加入者接続装置（ＯＮＵ）と接続される受動光網（ＰＯＮ）の局側光伝送路終端装置（ＯＬＴ）であって、
上記光分配網に結合される光送受信部と、
上記光送受信部に接続された電気／光変換部と、
広域網と接続される送受信回線インタフェースと、
下り制御フレームを生成するＯＬＴ制御部と、
上記ＯＬＴ制御部で生成された下り制御フレームおよび上記送受信回線インタフェースで上記広域網から受信したフレームをヘッダ部に宛先ＯＮＵの識別情報を含む下りフレームに変換する下りフレーム処理部と、
上記下りフレームの宛先ＯＮＵの信号伝送速度が、標準信号伝送速度よりも遅い場合、該下りフレームのビット列を標準信号伝送速度に対応したビット列に変換した後、標準信号伝送速度で変調し、上記電気／光変換部に出力する下り送信制御部とを備え、
上記下り送信制御部が、信号伝送速度の異なるＯＮＵ宛に新たな下りフレームを送信するとき、上記電気／光変換部に対して、現在の信号伝送速度で通信終了通知を出力し、新たな信号伝送速度のクロック同期ビットを含む通信開始通知を出力した後、上記新たな下りフレームを出力することを特徴とする局側光伝送路終端装置。
【請求項８】
広域網に接続された局側光伝送路終端装置（ＯＬＴ）と、光分配網を介して上記ＯＬＴに接続された信号伝送速度の異なる複数種類の加入者接続装置（ＯＮＵ）とからなる受動光網（ＰＯＮ）システムであって、上記ＯＬＴが、
下り制御フレームを生成するＯＬＴ制御部と、
上記光分配網に結合される光送受信部と、
上記光送受信部に接続された電気／光変換部と、
上記光送受信部に接続された光／電気変換部と、
上記ＯＬＴ制御部で生成された制御フレームおよび上記広域網から受信したフレームをヘッダ部に宛先ＯＮＵの識別情報を含む下りフレームに変換する下りフレーム処理部と、
上記下りフレームを信号伝送速度に応じた速度で変調して、上記電気／光変換部に送出する下り送信制御部と、
上記光／電気変換部の出力信号を信号伝送速度に応じた速度で復調する復調部と、
上記復調部に接続され、各ＯＮＵから受信した上り制御フレームを上記ＯＬＴ制御部に出力する上りフレーム処理部とを有し、
上記下り送信制御部が、変調速度を切り換えて新たな下りフレームを送信するとき、上記電気／光変換部に対して、現在の変調速度で変調された通信終了通知を出力し、変調速度を切り換えて、新たな信号伝送速度のクロック同期ビットを含む通信開始通知を出力した後、上記新たな下りフレームを出力することを特徴とする受動光網システム。
【手続補正２】
【補正対象書類名】明細書
【補正対象項目名】００４２
【補正方法】変更
【補正の内容】
【００４２】
下り送信制御部１２３は、ＴＣフレーム（本実施例ではＧＴＣフレーム）を形成して、バッファメモリ１２２から読み出したＧＥＭフレームをＴＣフレームのペイロードで送信する。下り送信制御部１２３は、スイッチ１３０によって、バッファメモリ１２２から読み出したＧＥＭフレームを変調回路１３１Ａまたは１３１Ｂに選択的に振り分ける。クロック周波数が１０Ｇｂｐｓのバッファ領域から読み出されたＧＥＭフレームは、１０Ｇｂｐｓの変調回路１３１Ａで変調され、クロック周波数が２．４Ｇｂｐｓのバッファ領域から読み出されたＧＥＭフレームは、２．４Ｇｂｐｓの変調回路１３１Ｂで変調される。下り送信制御部１２３は、スイッチ１３０と連動してセレクタ１３２を制御することによって、変調回路１３１Ａ、１３１Ｂで生成された変調信号をＥ／Ｏ変換部１２４に選択的に出力する。
【手続補正３】
【補正対象書類名】明細書
【補正対象項目名】００６４
【補正方法】変更
【補正の内容】
【００６４】
このようにして、２．４Ｇｂｐｓ対応の全てのＯＮＵについて、レンジングが完了すると、ＯＬＴ１０は、１０Ｇｂｐｓの通信開始通知Ｆ３０−２を送信した後、ディスカバリによって存在が確認済みとなっている１０Ｇｂｐｓ対応のＯＮＵを順次に選択して、レンジング用のＧＡＴＥメッセージを送信し、ＯＮＵからの応答を待つ。１０Ｇｂｐｓ対応のＯＮＵ２０−２は、図１２の（Ｄ）に示すように、２．４Ｇｂｐｓの制御フレームＦ３０−１、Ｆ３１−１、Ｆ３１−３に対しては無応答であり、１０Ｇｂｐｓの通信開始通知Ｆ３０−２を受信すると、自ノード宛のＧＡＴＥメッセージが受信されるのを待ち、自ノード宛のＧＡＴＥメッセージを受信すると、時間情報を含むＲＥＰＯＲＴメッセージをＯＬＴ１０に返送する。
【手続補正４】
【補正対象書類名】図面
【補正対象項目名】図９
【補正方法】変更
【補正の内容】
【図９】
2009189026.tif 000001